(57)【特許請求の範囲】
【請求項１】
最も物体側から順に、正の屈折力の第１レンズ群と、負の屈折力の第２レンズ群とを有し、且つ、最も像側に正の屈折力の第ｎレンズ群を有していること；
短焦点距離端から長焦点距離端への変倍に際し、第１レンズ群と第ｎレンズ群が像面に対して固定されており、第２レンズ群が光軸方向に移動すること；
第２レンズ群と第ｎレンズ群との間に、正の屈折力の第ｍレンズ群を有していること；
第１レンズ群は、物体側から順に、像側に凹面を向けた負レンズと、物体側に凸面を向けた正レンズと、物体側に凸面を向けた正レンズと、物体側に凸面を向けた正レンズとから構成されていること；
第ｎレンズ群は、２枚以上の正レンズを有していること；及び
次の条件式（１）、（２）、（３）、（４）、（５）を満足すること；
を特徴とするズームレンズ系。
（１）１．２３＜ｆ１／ｆｎ＜１．５０
（２）１．２０＜ｆｎ／ｆｍ＜１．６０
（３）νｄｐ２＞νｄｐ１＞νｄｐ３
（４）Ｎｐ１−Ｎｐ２＞０
（５）νａｖｅ＞６８
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
Ｎｐ１：第ｎレンズ群中の正レンズのうち最も物体側に位置する正レンズのｄ線に対する屈折率、
Ｎｐ２：第ｎレンズ群中の正レンズのうち物体側から２番目に位置する正レンズのｄ線に対する屈折率、
νａｖｅ：第ｎレンズ群中の正レンズのうち最も物体側に位置する正レンズと物体側から２番目に位置する正レンズのｄ線に対するアッベ数の平均値。
【請求項２】
最も物体側から順に、正の屈折力の第１レンズ群と、負の屈折力の第２レンズ群とを有し、且つ、最も像側に正の屈折力の第ｎレンズ群を有していること；
短焦点距離端から長焦点距離端への変倍に際し、第１レンズ群と第ｎレンズ群が像面に対して固定されており、第２レンズ群が光軸方向に移動すること；
第２レンズ群と第ｎレンズ群との間に、正の屈折力の第ｍレンズ群を有していること；
第１レンズ群は、物体側から順に、像側に凹面を向けた負レンズと、物体側に凸面を向けた正レンズと、物体側に凸面を向けた正レンズと、物体側に凸面を向けた正レンズとから構成されていること；
次の条件式（１）、（２）、（３）を満足すること；及び
第ｎレンズ群中の最も物体側のレンズと最も像側のレンズとの間に、次の条件式（６）、（７）、（８）を満足するような中間正レンズが位置していること；
を特徴とするズームレンズ系。
（１）１．２３＜ｆ１／ｆｎ＜１．５０
（２）１．２０＜ｆｎ／ｆｍ＜１．６０
（３）νｄｐ２＞νｄｐ１＞νｄｐ３
（６）０．５＜ＤｎＰ／ＬＤｎ＜０．７５
（７）０．９＜ｆｎ／ｆｎＰ＜１．４
（８）６０＜νｎＰ＜７５
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
ＤｎＰ：第ｎレンズ群中の最も物体側のレンズの物体側の面から中間正レンズの物体側の面までの距離、
ＬＤｎ：第ｎレンズ群の群厚、
ｆｎＰ：第ｎレンズ群中の中間正レンズの焦点距離、
νｎＰ：第ｎレンズ群中の中間正レンズのｄ線に対するアッベ数。
【請求項３】
最も物体側から順に、正の屈折力の第１レンズ群と、負の屈折力の第２レンズ群とを有し、且つ、最も像側に正の屈折力の第ｎレンズ群を有していること；
短焦点距離端から長焦点距離端への変倍に際し、第１レンズ群と第ｎレンズ群が像面に対して固定されており、第２レンズ群が光軸方向に移動すること；
第２レンズ群と第ｎレンズ群との間に、正の屈折力の第ｍレンズ群を有していること；
第２レンズ群と第ｎレンズ群との間に、第ｍレンズ群とは別の負の屈折力のレンズ群を有していること；
第１レンズ群は、物体側から順に、像側に凹面を向けた負レンズと、物体側に凸面を向けた正レンズと、物体側に凸面を向けた正レンズと、物体側に凸面を向けた正レンズとから構成されていること；及び
次の条件式（１）、（２）、（３）、（９）を満足すること；
を特徴とするズームレンズ系。
（１）１．２３＜ｆ１／ｆｎ＜１．５０
（２）１．２０＜ｆｎ／ｆｍ＜１．６０
（３）νｄｐ２＞νｄｐ１＞νｄｐ３
（９）−８．０＜ｆＮ／ｆｍ＜−１．５
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
ｆＮ：第２レンズ群と第ｎレンズ群との間に位置する負の屈折力のレンズ群の焦点距離。
【請求項４】
最も物体側から順に、正の屈折力の第１レンズ群と、負の屈折力の第２レンズ群とを有し、且つ、最も像側に正の屈折力の第ｎレンズ群を有していること；
短焦点距離端から長焦点距離端への変倍に際し、第１レンズ群と第ｎレンズ群が像面に対して固定されており、第２レンズ群が光軸方向に移動すること；
第２レンズ群と第ｎレンズ群との間に、正の屈折力の第ｍレンズ群を有していること；
第２レンズ群と第ｎレンズ群との間に、第ｍレンズ群とは別の負の屈折力のレンズ群を有していること；
第１レンズ群は、物体側から順に、像側に凹面を向けた負レンズと、物体側に凸面を向けた正レンズと、物体側に凸面を向けた正レンズと、物体側に凸面を向けた正レンズとから構成されていること；
第２レンズ群と第ｎレンズ群との間に位置する負の屈折力のレンズ群は、像側に凸面を向けた負単レンズから構成されていること；及び
次の条件式（１）、（２）、（３）、（１０）、（１１）を満足すること；
を特徴とするズームレンズ系。
（１）１．２３＜ｆ１／ｆｎ＜１．５０
（２）１．２０＜ｆｎ／ｆｍ＜１．６０
（３）νｄｐ２＞νｄｐ１＞νｄｐ３
（１０）１．５５＜ＮｄＮ＜１．７３
（１１）３０＜νｄＮ＜６０
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
ＮｄＮ：第２レンズ群と第ｎレンズ群との間に位置する負の屈折力のレンズ群を構成する負単レンズのｄ線に対する屈折率、
νｄＮ：第２レンズ群と第ｎレンズ群との間に位置する負の屈折力のレンズ群を構成する負単レンズのｄ線に対するアッベ数。
【請求項５】
請求項１ないし４のいずれか１項記載のズームレンズ系において、第２レンズ群と第ｎレンズ群との間に、第ｍレンズ群を含む２つ以上のレンズ群を有しているズームレンズ系。
【発明の詳細な説明】
【技術分野】
【０００１】
本発明は、ズームレンズ系に関し、特にデジタルカメラ等の撮像機器に好適な大口径望遠ズームレンズ系に関する。
【背景技術】
【０００２】
近年、デジタルカメラ等の撮像機器に用いられる光学系には、光学性能が高性能であるだけではなく、フォーカスの高速化が求められており、そのためにフォーカスレンズ群を小型化・軽量化することが提案されている。しかし、従来の光学系は、光学性能とフォーカスレンズ群の小型化・軽量化との両立が不十分であり満足できるレベルではなかった。
【０００３】
特許文献１−４には、ズーミングに際してレンズ間隔が変わる部分を境にレンズ群を定義した場合、４群レンズ構成（特許文献１、２、４）または５群レンズ構成（特許文献３）のズームレンズ系が開示されている。しかし、特許文献１−４のいずれのズームレンズ系も、各レンズ群のパワーバランスが不適切であるため、球面収差、コマ収差、歪曲収差等の諸収差の補正が不十分である。また、特許文献１、２は最も径の大きく重い第１レンズ群の後半部でフォーカシングを行うのでオートフォーカス動作に際し負荷が大きい上にフォーカシング時の性能変化（性能劣化）が大きい。特許文献３、４は、比較的径の小さい第３レンズ群でフォーカシングを行うので、特許文献１、２に比べオートフォーカス動作にかかる負荷は小さくその点は有利だが、やはりフォーカシング時の性能変化（性能劣化）が大きいという問題がある。
【先行技術文献】
【特許文献】
【０００４】
【特許文献１】特開２００８−２１６４８０号公報
【特許文献２】特開２００９−２８８６１９号公報
【特許文献３】特開２０１０−１６０２４０号公報
【特許文献４】特開２０１１−１５８５９９号公報
【発明の概要】
【発明が解決しようとする課題】
【０００５】
本発明は、以上の問題意識に基づいてなされたものであり、球面収差、コマ収差、歪曲収差等の諸収差を良好に補正するとともに、動作負荷の小さなフォーカシング群を用いつつ、フォーカシング時の性能変化（性能劣化）を抑制することができるズームレンズ系を得ることを目的とする。
【課題を解決するための手段】
【０００６】
本発明のズームレンズ系は、その一態様では、最も物体側から順に、正の屈折力の第１レンズ群と、負の屈折力の第２レンズ群とを有し、且つ、最も像側に正の屈折力の第ｎレンズ群を有していること；短焦点距離端から長焦点距離端への変倍に際し、第１レンズ群と第ｎレンズ群が像面に対して固定されており、第２レンズ群が光軸方向に移動すること；第２レンズ群と第ｎレンズ群との間に、正の屈折力の第ｍレンズ群を有していること；第１レンズ群は、物体側から順に、像側に凹面を向けた負レンズと、物体側に凸面を向けた正レンズと、物体側に凸面を向けた正レンズと、物体側に凸面を向けた正レンズとから構成されていること；第ｎレンズ群は、２枚以上の正レンズを有していること；及び次の条件式（１）、（２）、（３）、（４）、（５）を満足すること；を特徴としている。
（１）１．２３＜ｆ１／ｆｎ＜１．５０
（２）１．２０＜ｆｎ／ｆｍ＜１．６０
（３）νｄｐ２＞νｄｐ１＞νｄｐ３
（４）Ｎｐ１−Ｎｐ２＞０
（５）νａｖｅ＞６８
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
Ｎｐ１：第ｎレンズ群中の正レンズのうち最も物体側に位置する正レンズのｄ線に対する屈折率、
Ｎｐ２：第ｎレンズ群中の正レンズのうち物体側から２番目に位置する正レンズのｄ線に対する屈折率、
νａｖｅ：第ｎレンズ群中の正レンズのうち最も物体側に位置する正レンズと物体側から２番目に位置する正レンズのｄ線に対するアッベ数の平均値、
である。
本発明のズームレンズ系は、別の態様では、最も物体側から順に、正の屈折力の第１レンズ群と、負の屈折力の第２レンズ群とを有し、且つ、最も像側に正の屈折力の第ｎレンズ群を有していること；短焦点距離端から長焦点距離端への変倍に際し、第１レンズ群と第ｎレンズ群が像面に対して固定されており、第２レンズ群が光軸方向に移動すること；第２レンズ群と第ｎレンズ群との間に、正の屈折力の第ｍレンズ群を有していること；第１レンズ群は、物体側から順に、像側に凹面を向けた負レンズと、物体側に凸面を向けた正レンズと、物体側に凸面を向けた正レンズと、物体側に凸面を向けた正レンズとから構成されていること；次の条件式（１）、（２）、（３）を満足すること；及び第ｎレンズ群中の最も物体側のレンズと最も像側のレンズとの間に、次の条件式（６）、（７）、（８）を満足するような中間正レンズが位置していること；を特徴としている。
（１）１．２３＜ｆ１／ｆｎ＜１．５０
（２）１．２０＜ｆｎ／ｆｍ＜１．６０
（３）νｄｐ２＞νｄｐ１＞νｄｐ３
（６）０．５＜ＤｎＰ／ＬＤｎ＜０．７５
（７）０．９＜ｆｎ／ｆｎＰ＜１．４
（８）６０＜νｎＰ＜７５
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
ＤｎＰ：第ｎレンズ群中の最も物体側のレンズの物体側の面から中間正レンズの物体側の面までの距離、
ＬＤｎ：第ｎレンズ群の群厚、
ｆｎＰ：第ｎレンズ群中の中間正レンズの焦点距離、
νｎＰ：第ｎレンズ群中の中間正レンズのｄ線に対するアッベ数、
である。
本発明のズームレンズ系は、別の態様では、最も物体側から順に、正の屈折力の第１レンズ群と、負の屈折力の第２レンズ群とを有し、且つ、最も像側に正の屈折力の第ｎレンズ群を有していること；短焦点距離端から長焦点距離端への変倍に際し、第１レンズ群と第ｎレンズ群が像面に対して固定されており、第２レンズ群が光軸方向に移動すること；第２レンズ群と第ｎレンズ群との間に、正の屈折力の第ｍレンズ群を有していること；第２レンズ群と第ｎレンズ群との間に、第ｍレンズ群とは別の負の屈折力のレンズ群を有していること；第１レンズ群は、物体側から順に、像側に凹面を向けた負レンズと、物体側に凸面を向けた正レンズと、物体側に凸面を向けた正レンズと、物体側に凸面を向けた正レンズとから構成されていること；及び次の条件式（１）、（２）、（３）、（９）を満足すること；を特徴としている。
（１）１．２３＜ｆ１／ｆｎ＜１．５０
（２）１．２０＜ｆｎ／ｆｍ＜１．６０
（３）νｄｐ２＞νｄｐ１＞νｄｐ３
（９）−８．０＜ｆＮ／ｆｍ＜−１．５
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
ｆＮ：第２レンズ群と第ｎレンズ群との間に位置する負の屈折力のレンズ群の焦点距離、
である。
本発明のズームレンズ系は、別の態様では、最も物体側から順に、正の屈折力の第１レンズ群と、負の屈折力の第２レンズ群とを有し、且つ、最も像側に正の屈折力の第ｎレンズ群を有していること；短焦点距離端から長焦点距離端への変倍に際し、第１レンズ群と第ｎレンズ群が像面に対して固定されており、第２レンズ群が光軸方向に移動すること；第２レンズ群と第ｎレンズ群との間に、正の屈折力の第ｍレンズ群を有していること；第２レンズ群と第ｎレンズ群との間に、第ｍレンズ群とは別の負の屈折力のレンズ群を有していること；第１レンズ群は、物体側から順に、像側に凹面を向けた負レンズと、物体側に凸面を向けた正レンズと、物体側に凸面を向けた正レンズと、物体側に凸面を向けた正レンズとから構成されていること；第２レンズ群と第ｎレンズ群との間に位置する負の屈折力のレンズ群は、像側に凸面を向けた負単レンズから構成されていること；及び次の条件式（１）、（２）、（３）、（１０）、（１１）を満足すること；を特徴としている。
（１）１．２３＜ｆ１／ｆｎ＜１．５０
（２）１．２０＜ｆｎ／ｆｍ＜１．６０
（３）νｄｐ２＞νｄｐ１＞νｄｐ３
（１０）１．５５＜ＮｄＮ＜１．７３
（１１）３０＜νｄＮ＜６０
但し、
ｆ１：第１レンズ群の焦点距離、
ｆｎ：第ｎレンズ群の焦点距離（ｎは４以上の正の整数）、
ｆｍ：第ｍレンズ群の焦点距離（ｍは３以上の正の整数）、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
ＮｄＮ：第２レンズ群と第ｎレンズ群との間に位置する負の屈折力のレンズ群を構成する負単レンズのｄ線に対する屈折率、
νｄＮ：第２レンズ群と第ｎレンズ群との間に位置する負の屈折力のレンズ群を構成する負単レンズのｄ線に対するアッベ数、
である。
【０００７】
レンズ系の発明において、「レンズ群」の定義（何を境にレンズ群を定義するか）には様々ある。
「３群４枚」という表現における「群」は、空気間隔部を境に定義した「群」である。例えば、単レンズはそれ自身で「群」であり、複数のレンズを接合した場合は（該複数のレンズ間には「空気間隔」が無いので）、複数のレンズがひとつの「群」となる。従って「３群４枚」とは、２枚のレンズを接合した１組の接合レンズと、２枚の単レンズからなるレンズ系を意味する。
次に「５群ズーム」という表現においては（特に別の定義がなされていなければ）、ズーミング（変倍）に際してレンズ間隔が変わる部分を境にレンズ群が定義されることが一般的である。単焦点レンズにおける「レンズ群」という表現は、フォーカシングに際してレンズ間隔が変化する部分を境にしてレンズ群を定義する場合の他、絞りを境に定義する場合や、レンズ間隔が最大部分を境に定義する場合もあるので、何かしらの定義（切り分けの法則）がされる場合が多い。
そして、以下の本明細書における「レンズ群」は、変倍に際してレンズ間隔が変化する部分またはフォーカシングに際してレンズ間隔が変化する部分を境にして、定義している。従って、特許文献１の第１実施形態のように、ズーミングに際しては変化しないがフォーカシングに際しては変化するｄ３のレンズ間隔も本明細書においては「レンズ群」を定義する境界となるので、特許文献１の第１実施形態のレンズは「４群構成」ではなく「５群構成」と定義されることになる。
【０００８】
本発明のズームレンズ系は、第２レンズ群と第ｎレンズ群との間に、第ｍレンズ群を含む２つ以上のレンズ群を有することができる。
【００１２】
条件式（５）が規定する条件範囲の中でも、次の条件式（５’）を満足することが好ましい。
（５’）νａｖｅ＞７２
【００１４】
条件式（６）が規定する条件範囲の中でも、次の条件式（６’）を満足することが好ましい。
（６’）０．５５＜ＤｎＰ／ＬＤｎ＜０．７５
【００１６】
条件式（９）が規定する条件範囲の中でも、次の条件式（９’）を満足することが好ましい。
（９’）−４．０＜ｆＮ／ｆｍ＜−１．５
【発明の効果】
【００１８】
本発明によれば、球面収差、コマ収差、歪曲収差等の諸収差を良好に補正するとともに、動作負荷の小さなフォーカシング群を用いつつ、フォーカシング時の性能変化（性能劣化）を抑制することができるズームレンズ系が得られる。
【図面の簡単な説明】
【００１９】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の短焦点距離端における無限遠合焦時のレンズ構成図である。
【図３２】図３１の構成における諸収差図である。
【図３３】図３１の構成における横収差図である。
【図３４】同数値実施例６の長焦点距離端における無限遠合焦時のレンズ構成図である。
【図３５】図３４の構成における諸収差図である。
【図３６】図３４の構成における横収差図である。
【図３７】本発明によるズームレンズ系のズーム軌跡を示す第１の簡易移動図である。
【図３８】本発明によるズームレンズ系のズーム軌跡を示す第２の簡易移動図である。
【図３９】本発明によるズームレンズ系のズーム軌跡を示す第３の簡易移動図である。
【発明を実施するための形態】
【００２０】
本実施形態のズームレンズ系は、数値実施例１−５から構成される「第１実施形態」と数値実施例６から構成される「第２実施形態」を含んでいる。以下、これらの「第１実施形態」と「第２実施形態」を順番に説明する。
【００２１】
「第１実施形態」
本実施形態のズームレンズ系は、数値実施例１−５では、図３７、図３８の簡易移動図に示すように、正の屈折力の第１レンズ群Ｇ１と、負の屈折力の第２レンズ群Ｇ２と、正の屈折力の第３レンズ群（第ｍレンズ群）Ｇ３と、負の屈折力の第４レンズ群Ｇ４と、正の屈折力の第５レンズ群（第ｎレンズ群）Ｇ５とから構成されている。第４レンズ群Ｇ４と第５レンズ群Ｇ５との間（第５レンズ群Ｇ５の直前）には絞りＳが位置している。Ｉは像面である。
【００２２】
本実施形態のズームレンズ系は、数値実施例１−４では、図３７の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少する。
より具体的に、短焦点距離端から長焦点距離端への変倍に際し、第１レンズ群Ｇ１は像面Ｉに対して固定されており（光軸方向に移動せず）、第２レンズ群Ｇ２ないし第４レンズ群Ｇ４は単調に像側に移動し、第５レンズ群Ｇ５は絞りＳと一緒に像面Ｉに対して固定されている（光軸方向に移動しない）。なお、第３レンズ群Ｇ３は、短焦点距離端から長焦点距離端への変倍に際し、一旦物体側（像側）に移動した後に像側（物体側）に戻る（Ｕターン）することも可能である。
【００２３】
本実施形態のズームレンズ系は、数値実施例５では、図３８の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化せず（一定であり）、第４レンズ群Ｇ４と第５レンズ群Ｇ５の間隔が減少する。
より具体的に、短焦点距離端から長焦点距離端への変倍に際し、第１レンズ群Ｇ１は像面Ｉに対して固定されており（光軸方向に移動せず）、第２レンズ群Ｇ２ないし第４レンズ群Ｇ４は単調に像側に移動し、第５レンズ群Ｇ５は絞りＳと一緒に像面Ｉに対して固定されている（光軸方向に移動しない）。なお、第３レンズ群Ｇ３と第４レンズ群Ｇ４は、短焦点距離端から長焦点距離端への変倍に際し、一旦物体側（像側）に移動した後に像側（物体側）に戻る（Ｕターン）することも可能である。第４レンズ群Ｇ４がＵターンする場合、短焦点距離端から長焦点距離端への変倍に際し、長焦点距離端の近傍で、第４レンズ群Ｇ４と第５レンズ群Ｇ５の間隔が増大してもよい。
【００２４】
本実施形態のズームレンズ系は、数値実施例１−５では、図３７、図３８の簡易移動図に示すように、第３レンズ群（第ｍレンズ群）Ｇ３をフォーカスレンズ群としてこれを像側に移動させることでフォーカシングを行う。従って、数値実施例５は、変倍に際しては第３レンズ群Ｇ３と第４レンズ群Ｇ４の間隔が一定だが、フォーカシングに際して第３レンズ群Ｇ３と第４レンズ群Ｇ４の間隔が変わるので、本明細書においては、第３レンズ群Ｇ３と第４レンズ群Ｇ４は、別の「レンズ群」と定義し、カウントしている。
【００２５】
第１レンズ群Ｇ１は、物体側から順に、負レンズ（像側に凹面を向けた負レンズ）１１と、正レンズ（物体側に凸面を向けた正レンズ）１２と、正レンズ（物体側に凸面を向けた正レンズ）１３と、正レンズ（物体側に凸面を向けた正レンズ）１４とからなる。負レンズ１１と正レンズ１２は、数値実施例１−２では接合されておらず、数値実施例３−５では接合されている。
【００２６】
第２レンズ群Ｇ２は、物体側から順に、正レンズ２１と、負レンズ２２と、負レンズ２３と、正レンズ２４と、負レンズ２５とからなる。正レンズ２１と負レンズ２２は接合されており、負レンズ２３と正レンズ２４は接合されている。
【００２７】
第３レンズ群Ｇ３は、物体側から順に、正レンズ３１と、正レンズ３２と、負レンズ３３とからなる。正レンズ３２と負レンズ３３は接合されている。
【００２８】
第４レンズ群Ｇ４は、負単レンズ（像側に凸面を向けた負単レンズ）４１からなる。
【００２９】
第５レンズ群Ｇ５は、物体側から順に、正レンズ５１と、正レンズ５２と、負レンズ５３と、正レンズ（中間正レンズ）５４と、負レンズ５５と、正レンズ５６とからなる。
【００３０】
「第２実施形態」
本実施形態のズームレンズ系は、数値実施例６では、図３９の簡易移動図に示すように、物体側から順に、正の屈折力の第１レンズ群Ｇ１’と、負の屈折力の第２レンズ群Ｇ２’と、負の屈折力の第３レンズ群Ｇ３’と、正の屈折力の第４レンズ群（第ｍレンズ群）Ｇ４’と、正の屈折力の第５レンズ群（第ｎレンズ群）Ｇ５’とから構成されている。第４レンズ群Ｇ４’と第５レンズ群Ｇ５’との間（第５レンズ群Ｇ５’の直前）には絞りＳが位置しており、この絞りＳは、短焦点距離端から長焦点距離端への変倍に際し、第５レンズ群Ｇ５’と一緒に像面Ｉに対して固定されている（光軸方向に移動しない）。
【００３１】
本実施形態のズームレンズ系は、数値実施例６では、図３９の簡易移動図に示すように、短焦点距離端（Ｗｉｄｅ）から長焦点距離端（Ｔｅｌｅ）への変倍に際し、第１レンズ群Ｇ１’と第２レンズ群Ｇ２’の間隔が増大し、第２レンズ群Ｇ２’と第３レンズ群Ｇ３’の間隔が減少し、第３レンズ群Ｇ３’と第４レンズ群Ｇ４’の間隔が減少し、第４レンズ群Ｇ４’と第５レンズ群Ｇ５’の間隔が減少する。
より具体的に、短焦点距離端から長焦点距離端への変倍に際し、第１レンズ群Ｇ１’は像面Ｉに対して固定されており（光軸方向に移動せず）、第２レンズ群Ｇ２’ないし第４レンズ群Ｇ４’は単調に像側に移動し、第５レンズ群Ｇ５’は絞りＳと一緒に像面Ｉに対して固定されている（光軸方向に移動しない）。
【００３２】
本実施形態のズームレンズ系は、数値実施例６では、図３９の簡易移動図に示すように、第４レンズ群（第ｍレンズ群）Ｇ４’をフォーカスレンズ群としてこれを像側に移動させることでフォーカシングを行う。
【００３３】
第１レンズ群Ｇ１’は、物体側から順に、負レンズ（像側に凹面を向けた負レンズ）１１’と、正レンズ（物体側に凸面を向けた正レンズ）１２’と、正レンズ（物体側に凸面を向けた正レンズ）１３’と、正レンズ（物体側に凸面を向けた正レンズ）１４’とからなる。負レンズ１１’と正レンズ１２’は接合されている。
【００３４】
第２レンズ群Ｇ２’は、物体側から順に、正レンズ２１’と、負レンズ２２’とからなる。正レンズ２１’と負レンズ２２’は接合されている。
【００３５】
第３レンズ群Ｇ３’は、物体側から順に、負レンズ３１’と、正レンズ３２と’、負レンズ３３’とからなる。負レンズ３１’と正レンズ３２’は接合されている。
【００３６】
第４レンズ群Ｇ４’は、物体側から順に、正レンズ４１’と、正レンズ４２’と、負レンズ４３’とからなる。正レンズ４２’と負レンズ４３’は接合されている。
【００３７】
第５レンズ群Ｇ５’は、物体側から順に、正レンズ５１’と、正レンズ５２’と、負レンズ５３’と、正レンズ５４’と、負レンズ５５’と、正レンズ（中間正レンズ）５６’と、負レンズ５７’と、正レンズ５８’とからなる。負レンズ５３’と正レンズ５４’は接合されている。
【００３８】
本実施形態のズームレンズ系は、正負正負正の５群レンズ構成または正負負正正の５群レンズ構成を採用した上で、各レンズ群のパワー比（パワーバランス）を最適設定することにより、球面収差、コマ収差、歪曲収差等の諸収差を良好に補正するとともに、フォーカシング時の性能変化（性能劣化）を抑制することに成功している。
【００３９】
条件式（１）は、第１レンズ群（Ｇ１またはＧ１’）と第ｎレンズ群である最も像側の正の屈折力のレンズ群のパワー比（パワーバランス）を規定している。条件式（１）を満足することにより、球面収差、コマ収差、歪曲収差を良好に補正することができる。
条件式（１）の上限を超えると、第ｎレンズ群のパワーが強くなりすぎて、ズーム全域に亘って球面収差とコマ収差の補正が困難になってしまう。
条件式（１）の下限を超えると、第１レンズ群のパワーが強くなりすぎて、歪曲収差が大きく発生してしまう。
【００４０】
条件式（２）は、最も像側の正の屈折力の第ｎレンズ群とフォーカスレンズ群である第ｍレンズ群（第２レンズ群と第ｎレンズ群との間の正の屈折力のレンズ群）のパワー比（パワーバランス）を規定している。条件式（２）を満足することにより、球面収差とコマ収差を良好に補正するとともに、フォーカシング時の性能変化（性能劣化）を抑制することができる。
条件式（２）の上限を超えると、フォーカスレンズ群である第ｍレンズ群のパワーが強くなりすぎて、フォーカシング時の性能変化（性能劣化）が大きくなってしまう。
条件式（２）の下限を超えると、第ｎレンズ群のパワーが強くなりすぎて、ズーム全域に亘って球面収差とコマ収差の補正が困難になってしまう。
【００４１】
条件式（３）は、第１レンズ群（Ｇ１またはＧ１’）中の３枚の正レンズのｄ線に対するアッベ数の大小関係を規定している。色収差（特に長焦点距離端の倍率色収差）の補正には、第１レンズ群（Ｇ１またはＧ１’）中の正レンズに、ｄ線に対するアッベ数が大きい所謂低分散材料を用いるのが好ましい。しかし、一般に低分散材料は屈折率が低いため、球面収差・コマ収差等の補正には不利である。本実施形態のズームレンズ系は、第１レンズ群（Ｇ１またはＧ１’）中の３枚の正レンズのｄ線に対するアッベ数の大小関係を、条件式（３）を満足するように設定することで、色収差・球面収差・コマ収差の補正を両立させることができる。条件式（３）を満足しないと、色収差・球面収差・コマ収差の補正を両立させることができなくなってしまう。
【００４２】
条件式（４）は、第ｎレンズ群中の最も物体側に位置する正レンズと物体側から２番目に位置する正レンズのｄ線に対する屈折率の差を規定している。第ｎレンズ群中の最も物体側に位置する正レンズは、球面収差の補正に直結する重要なレンズであるため、これを高屈折率な材料から形成することが好ましい。また、第ｎレンズ群中の物体側から２番目に位置する正レンズは、これをアプラナチックレンズに近い形状とすることで球面収差の発生を抑えることができる。すなわち、条件式（４）を満足することにより球面収差を良好に補正することができる。条件式（４）を満足しないと、球面収差の補正効果が不十分になってしまう。
【００４３】
条件式（５）及び条件式（５’）は、第ｎレンズ群中の最も物体側に位置する正レンズと物体側から２番目に位置する正レンズのｄ線に対するアッベ数の平均値を規定している。この２枚の正レンズはともに色収差の補正に重要なレンズであるため、ｄ線に対するアッベ数はなるべく大きい方が良い。すなわち、条件式（５）を満足することにより色収差を良好に補正することができ、さらに条件式（５’）を満足することにより色収差の補正効果を高めることができる。条件式（５）を満足しないと、色収差の補正効果が不十分になってしまう。
【００４４】
本実施形態のズームレンズ系は、数値実施例１−５では、第５レンズ群Ｇ５中の最も物体側に位置する正レンズ５１と最も像側に位置する正レンズ５６との間に、条件式（６）、条件式（７）及び条件式（８）を満足するような中間正レンズ５４を設けている。これにより、少ないレンズ構成でコマ収差・色収差・像面湾曲を効果的に補正することができる。
【００４５】
本実施形態のズームレンズ系は、数値実施例６では、第５レンズ群Ｇ５’中の最も物体側に位置する正レンズ５１’と最も像側に位置する正レンズ５８’との間に、条件式（６）、条件式（７）及び条件式（８）を満足するような中間正レンズ５６’を設けている。これにより、少ないレンズ構成でコマ収差・色収差・像面湾曲を効果的に補正することができる。
【００４６】
本実施形態のズームレンズ系において、負の屈折力の第２レンズ群（Ｇ２またはＧ２’）は、主たる変倍作用を受け持つ変倍レンズ群として機能しており、この第２レンズ群（Ｇ２またはＧ２’）とは別に、負の屈折力のレンズ群（第４レンズ群Ｇ４または第３レンズ群Ｇ３’）を設けることで、ズーミング時とフォーカシング時の収差変動をより効果的に補正することができる。上述したように、第４レンズ群Ｇ４は、数値実施例１−５では、負単レンズ（像側に凸面を向けた負単レンズ）４１から構成されている。
【００４７】
条件式（９）及び条件式（９’）は、負の屈折力のレンズ群（第４レンズ群Ｇ４または第３レンズ群Ｇ３’）とフォーカスレンズ群である第ｍレンズ群（第３レンズ群Ｇ３または第４レンズ群Ｇ４’）のパワー比（パワーバランス）を規定している。条件式（９）を満足することにより、ズーミング時とフォーカシング時の像面湾曲の変動を良好に補正することができ、条件式（９’）を満足することにより、ズーミング時とフォーカシング時の像面湾曲の変動をより一層良好に補正することができる。条件式（９）を満足しないと、ズーミング時とフォーカシング時の像面湾曲の変動の補正が不十分となってしまう。
【００４８】
条件式（１０）は、第４レンズ群Ｇ４を構成する負単レンズ４１のｄ線に対する屈折率を規定しており、条件式（１１）は、第４レンズ群Ｇ４を構成する負単レンズ４１のｄ線に対するアッベ数を規定している。条件式（１０）及び条件式（１１）を満足することにより、第４レンズ群Ｇ４を最小レンズ枚数（１枚）で構成した上で色収差とコマ収差を効果的に補正することができる。条件式（１０）及び条件式（１１）を満足しないと、色収差とコマ収差の補正効果が不十分になってしまう。
【実施例】
【００４９】
次に具体的な数値実施例１−６を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−６を通じて、非球面レンズは用いていない。
【００５０】
［数値実施例１］
図１〜図６と表１〜表３は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３はズームレンズ群データである。
【００５１】
本数値実施例１のズームレンズ系は、物体側から順に、正の屈折力の第１レンズ群Ｇ１と、負の屈折力の第２レンズ群Ｇ２と、正の屈折力の第３レンズ群（第ｍレンズ群、フォーカスレンズ群）Ｇ３と、負の屈折力の第４レンズ群Ｇ４と、正の屈折力の第５レンズ群（第ｎレンズ群）Ｇ５とから構成されている。第４レンズ群Ｇ４と第５レンズ群Ｇ５との間（第５レンズ群Ｇ５の直前）には絞りＳが位置しており、この絞りＳは、短焦点距離端から長焦点距離端への変倍に際し、第５レンズ群Ｇ５と一緒に像面Ｉに対して固定されている（光軸方向に移動しない）。
【００５２】
第１レンズ群Ｇ１は、物体側から順に、物体側に凸の負メニスカスレンズ（像側に凹面を向けた負レンズ）１１と、物体側に凸の正メニスカスレンズ（物体側に凸面を向けた正レンズ）１２と、両凸正レンズ（物体側に凸面を向けた正レンズ）１３と、物体側に凸の正メニスカスレンズ（物体側に凸面を向けた正レンズ）１４とからなる。
【００５３】
第２レンズ群Ｇ２は、物体側から順に、像側に凸の正メニスカスレンズ２１と、両凹負レンズ２２と、両凹負レンズ２３と、両凸正レンズ２４と、両凹負レンズ２５とからなる。正メニスカスレンズ２１と両凹負レンズ２２は接合されており、両凹負レンズ２３と両凸正レンズ２４は接合されている。
【００５４】
第３レンズ群Ｇ３は、物体側から順に、両凸正レンズ３１と、両凸正レンズ３２と、像側に凸の負メニスカスレンズ３３とからなる。両凸正レンズ３２と負メニスカスレンズ３３は接合されている。
【００５５】
第４レンズ群Ｇ４は、像側に凸の負メニスカス単レンズ（像側に凸面を向けた負単レンズ）４１からなる。
【００５６】
第５レンズ群Ｇ５は、物体側から順に、両凸正レンズ５１と、物体側に凸の正メニスカスレンズ５２と、両凹負レンズ５３と、両凸正レンズ（中間正レンズ）５４と、像側に凸の負メニスカスレンズ５５と、像側に凸の正メニスカスレンズ５６とからなる。
【００５７】
（表１）
面データ
面番号          R          d          N(d)        ν(d)
1           268.211      2.10       1.83400       37.2
2            77.688      0.20
3            78.470      9.10       1.49700       81.6
4           300.000      0.50
5            92.628     11.70       1.43875       95.0
6          -276.712      0.20
7            91.695      7.30       1.59522       67.7
8           398.949       d8
9          -533.916      5.10       1.91650       31.6
10          -61.110      1.40       1.81600       46.6
11           61.110      5.40
12         -109.774      1.30       1.59522       67.7
13           46.933      7.00       1.80518       25.4
14         -254.300      2.20
15          -72.191      1.10       1.83481       42.7
16          170.851       d16
17          153.851      6.50       1.80400       46.6
18          -72.797      0.20
19          428.584      7.30       1.49700       81.6
20          -49.133      1.40       1.84666       23.8
21         -119.634       d21
22          -72.589      1.50       1.61272       58.7
23        -4319.637       d23
24絞           ∞        1.20
25           32.920      8.20       1.59522       67.7
26         -264.639      0.10
27           35.157      4.50       1.43875       95.0
28           90.333      2.10
29         -193.592      1.30       1.78590       44.2
30           37.027     17.40
31           83.055      6.00       1.59522       67.7
32          -83.055      9.00
33          -25.707      1.30       1.81600       46.6
34          -91.405      0.20
35         -274.911      3.60       1.91650       31.6
36          -62.715        -
（表２）
各種データ
ズーム比（変倍比）    2.69
短焦点距離端          中間焦点距離          長焦点距離端
FNO.            2.9                   2.9                   2.9
f             72.10                100.00                194.00
W              17.1                  12.2                   6.2
Y             21.64                 21.64                 21.64
fB            40.00                 40.00                 40.00
L            245.45                245.45                245.45
d8             3.48                 19.67                 40.33
d16           26.77                 21.33                  4.00
d21            9.22                 11.87                 25.20
d23           31.86                 18.45                  1.80
（表３）
レンズ群データ
群          始面          焦点距離
1              1            118.56
2              9            -33.16
3             17             58.47
4             22           -120.51
5             25             81.79
【００５８】
［数値実施例２］
図７〜図１２と表４〜表６は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表４は面データ、表５は各種データ、表６はズームレンズ群データである。
【００５９】
この数値実施例２のレンズ構成は、以下の点を除いて、数値実施例１のレンズ構成と同様である。
（１）第４レンズ群Ｇ４の負単レンズ４１が両凹負単レンズである。
【００６０】
（表４）
面データ
面番号          R          d          N(d)        ν(d)
1           309.600      2.10       1.80610       33.3
2            85.789      0.20
3            85.437      9.00       1.49700       81.6
4           300.000      0.50
5           109.735     10.40       1.43500       95.0
6          -324.713      0.20
7            89.923      7.40       1.59282       68.6
8           488.290       d8
9          -515.875      5.20       1.90366       31.3
10          -57.732      1.40       1.81600       46.6
11           57.732      5.30
12         -129.592      1.30       1.59282       68.6
13           45.337      7.10       1.80518       25.5
14         -233.290      2.50
15          -64.471      1.10       1.83481       42.7
16          221.827       d16
17          188.650      6.40       1.80420       46.5
18          -74.390      0.20
19          200.572      7.80       1.49700       81.6
20          -51.664      1.30       1.84666       23.8
21         -113.738       d21
22          -88.301      1.50       1.65412       39.6
23          735.519       d23
24絞           ∞        1.20
25           33.382      7.80       1.59282       68.6
26         -442.682      0.40
27           34.135      4.20       1.43500       95.0
28           68.371      2.20
29         -227.525      1.30       1.77250       49.6
30           34.854     14.90
31           78.662      6.40       1.59282       68.6
32          -78.662     13.20
33          -27.032      1.30       1.80420       46.5
34          -65.193      0.20
35         -157.501      3.60       1.90366       31.3
36          -69.337        -
（表５）
各種データ
ズーム比（変倍比）    2.69
短焦点距離端          中間焦点距離          長焦点距離端
FNO.            2.9                   2.9                   2.9
f             72.01                100.00                194.00
W              17.1                  12.2                   6.2
Y             22.64                 21.64                 21.64
fB            37.80                 37.80                 37.80
L            249.30                249.30                249.30
d8             3.33                 20.39                 42.38
d16           26.13                 20.55                  4.00
d21            8.60                 12.46                 26.71
d23           36.84                 21.50                  1.80
（表６）
レンズ群データ
群          始面          焦点距離
1              1            123.42
2              9            -33.31
3             17             55.91
4             22           -120.44
5             25             87.16
【００６１】
［数値実施例３］
図１３〜図１８と表７〜表９は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表７は面データ、表８は各種データ、表９はズームレンズ群データである。
【００６２】
この数値実施例３のレンズ構成は、以下の点を除いて、数値実施例１のレンズ構成と同様である。
（１）第１レンズ群Ｇ１の負メニスカスレンズ１１と正メニスカスレンズ１２が接合されている。
（２）第３レンズ群Ｇ３の正レンズ３２が像側に凸の正メニスカスレンズである。
【００６３】
（表７）
面データ
面番号          R          d          N(d)        ν(d)
1           298.927      2.30       1.83400       37.2
2            83.202      8.48       1.49700       81.6
3           314.408      0.50
4            99.969     11.13       1.43875       95.0
5          -278.717      0.20
6            86.058      7.57       1.59522       67.7
7           338.946       d7
8          -820.899      4.99       1.90366       31.3
9           -59.351      1.20       1.81600       46.6
10           58.207      4.98
11         -125.863      1.33       1.59522       67.7
12           47.206      6.16       1.80518       25.5
13         -316.015      2.47
14          -63.999      1.10       1.83481       42.7
15          217.234       d15
16          182.634      5.83       1.80400       46.6
17          -66.021      0.20
18         -195.611      5.35       1.49700       81.6
19          -46.988      1.30       1.84666       23.8
20          -96.235       d20
21          -56.165      1.40       1.61340       44.3
22         -102.414       d22
23絞           ∞        1.20
24           35.843      8.25       1.59522       67.7
25        -1114.899      2.65
26           33.094      4.97       1.43875       95.0
27          101.917      1.75
28         -407.374      1.30       1.78590       44.2
29           32.342     14.77
30           84.103      5.95       1.59522       67.7
31          -84.103     11.77
32          -29.143      1.30       1.81600       46.6
33         -108.062      0.20
34         -341.779      3.47       1.90366       31.3
35          -67.612        -
（表８）
各種データ
ズーム比（変倍比）    2.69
短焦点距離端          中間焦点距離          長焦点距離端
FNO.            2.9                   2.9                   2.9
f             72.06                100.00                194.00
W              17.2                  12.2                   6.2
Y             21.64                 21.64                 21.64
fB            37.79                 37.79                 37.79
L            243.06                243.05                243.06
d7             3.30                 20.97                 43.94
d15           27.09                 21.74                  4.00
d20            8.58                 10.89                 20.96
d22           31.73                 17.09                  1.80
（表９）
レンズ群データ
群          始面          焦点距離
1              1            119.85
2              8            -32.59
3             16             66.08
4             21           -205.12
5             24             90.93
【００６４】
［数値実施例４］
図１９〜図２４と表１０〜表１２は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１０は面データ、表１１は各種データ、表１２はズームレンズ群データである。
【００６５】
この数値実施例４のレンズ構成は、以下の点を除いて、数値実施例１のレンズ構成と同様である。
（１）第１レンズ群Ｇ１の負メニスカスレンズ１１と正メニスカスレンズ１２が接合されている。
（２）第２レンズ群Ｇ２の正レンズ２４が物体側に凸の正メニスカスレンズである。
（３）第３レンズ群Ｇ３の正レンズ３２が像側に凸の正メニスカスレンズである。
（４）第５レンズ群Ｇ５の正レンズ５６が両凸正レンズである。
【００６６】
（表１０）
面データ
面番号          R          d          N(d)        ν(d)
1          1052.998      2.90       1.72047       34.7
2            88.327      9.51       1.49700       81.6
3           431.124      2.03
4           137.001      9.16       1.49782       82.6
5          -281.758      0.20
6            88.569      8.22       1.61800       63.4
7           636.494        d7
8          -651.050      6.07       1.83400       37.2
9           -49.578      1.30       1.77250       49.6
10           61.763      4.69
11         -241.851      1.30       1.61800       63.4
12           39.859      6.66       1.80518       25.4
13         1735.761      3.12
14          -66.909      1.30       1.80610       40.9
15          161.538       d15
16          203.183      5.49       1.80400       46.6
17          -78.090      0.11
18         -489.495      5.85       1.49700       81.6
19          -50.693      1.30       1.84666       23.8
20          -89.448       d20
21          -71.279      1.70       1.71700       47.9
22         -143.847       d22
23絞           ∞        0.00
24           40.535      7.07       1.61800       63.4
25         -385.374      0.10
26           42.343      5.48       1.49700       81.6
27          103.873      1.77
28         -407.896      1.40       1.72342       38.0
29           41.410     29.47
30           96.293      4.27       1.59522       67.7
31          -99.999      7.27
32          -33.048      1.20       1.80400       46.6
33         -100.848      0.20
34          188.052      3.56       1.80518       25.4
35         -645.973        -
（表１１）
各種データ
ズーム比（変倍比）    2.69
短焦点距離端          中間焦点距離          長焦点距離端
FNO.            2.9                   2.9                   2.9
f             72.10                100.00                194.00
W              17.2                  12.2                   6.2
Y             21.64                 21.64                 21.64
fB            37.45                 37.45                 37.45
L            241.26                241.26                241.26
d7             2.50                 19.58                 41.66
d15           26.74                 20.91                  2.00
d20            5.31                  7.99                 18.46
d22           30.57                 16.63                  3.00
（表１２）
レンズ群データ
群          始面          焦点距離
1              1            116.27
2              8            -32.88
3             16             64.58
4             21           -199.00
5             24             93.00
【００６７】
［数値実施例５］
図２５〜図３０と表１３〜表１５は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１３は面データ、表１４は各種データ、表１５はズームレンズ群データである。
【００６８】
この数値実施例５のレンズ構成は、以下の点を除いて、数値実施例１のレンズ構成と同様である。
（１）第１レンズ群Ｇ１の負メニスカスレンズ１１と正メニスカスレンズ１２が接合されている。
（２）第２レンズ群Ｇ２の正レンズ２４が物体側に凸の正メニスカスレンズである。
（３）第５レンズ群Ｇ５の正レンズ５６が両凸正レンズである。
【００６９】
（表１３）
面データ
面番号          R          d          N(d)        ν(d)
1           702.779      3.00       1.72342       38.0
2            91.358     10.16       1.49700       81.6
3          1501.767      2.66
4           122.662      8.62       1.49782       82.6
5          -465.130      0.20
6           129.226      6.22       1.61800       63.4
7           826.842       d7
8          -391.287      5.38       1.83400       37.2
9           -43.814      1.30       1.77410       47.3
10           70.787      3.11
11         -253.410      1.30       1.61800       63.4
12           38.650      5.37       1.80518       25.4
13          286.481      3.12
14          -68.554      1.30       1.80400       46.6
15          160.382       d15
16          309.125      4.25       1.72900       54.6
17         -109.742      0.10
18         1760.334      6.46       1.49700       81.6
19          -44.675      1.30       1.90400       27.2
20          -65.041       d20
21          -66.044      1.49       1.70000       44.2
22          -80.490       d22
23絞           ∞        0.00
24           42.674      6.97       1.61800       63.4
25         -776.064      0.10
26           41.881      5.88       1.49700       81.6
27          104.211      1.62
28         -723.179      1.40       1.69000       35.1
29           43.912     32.21
30          102.186      4.27       1.61800       63.4
31         -134.020      9.29
32          -31.937      1.20       1.80400       46.6
33          -96.796      0.20
34          144.464      5.40       1.77742       26.8
35        -1415.259       -
（表１４）
各種データ
ズーム比（変倍比）    2.69
短焦点距離端          中間焦点距離          長焦点距離端
FNO.            2.9                   2.9                   2.9
f             72.11                119.99                194.00
W              17.1                  10.1                   6.2
Y             21.64                 21.64                 21.64
fB            38.05                 38.05                 38.06
L            249.32                249.32                249.32
d7             2.40                 34.74                 54.80
d15           20.25                 13.38                  2.00
d20           14.04                 14.04                 14.04
d22           37.20                 11.74                  3.04
（表１５）
レンズ群データ
群          始面          焦点距離
1              1            134.15
2              8            -32.16
3             16             72.45
4             21           -549.02
5             24             92.52
【００７０】
［数値実施例６］
図３１〜図３６と表１６〜表１８は、本発明によるズームレンズ系の数値実施例６を示している。図３１は短焦点距離端における無限遠合焦時のレンズ構成図、図３２はその諸収差図、図３３はその横収差図であり、図３４は長焦点距離端における無限遠合焦時のレンズ構成図、図３５はその諸収差図、図３６はその横収差図である。表１６は面データ、表１７は各種データ、表１８はズームレンズ群データである。
【００７１】
本数値実施例６のズームレンズ系は、物体側から順に、正の屈折力の第１レンズ群Ｇ１’と、負の屈折力の第２レンズ群Ｇ２’と、負の屈折力の第３レンズ群Ｇ３’と、正の屈折力の第４レンズ群（第ｍレンズ群、フォーカスレンズ群）Ｇ４’と、正の屈折力の第５レンズ群（第ｎレンズ群）Ｇ５’とから構成されている。第４レンズ群Ｇ４’と第５レンズ群Ｇ５’との間（第５レンズ群Ｇ５’の直前）には絞りＳが位置しており、この絞りＳは、短焦点距離端から長焦点距離端への変倍に際し、第５レンズ群Ｇ５’と一緒に像面Ｉに対して固定されている（光軸方向に移動しない）。
【００７２】
第１レンズ群Ｇ１’は、物体側から順に、物体側に凸の負メニスカスレンズ（像側に凹面を向けた負レンズ）１１’と、物体側に凸の正メニスカスレンズ（物体側に凸面を向けた正レンズ）１２’と、物体側に凸の正メニスカスレンズ（物体側に凸面を向けた正レンズ）１３’と、両凸正レンズ（物体側に凸面を向けた正レンズ）１４’とからなる。負メニスカスレンズ１１’と正メニスカスレンズ１２’は接合されている。
【００７３】
第２レンズ群Ｇ２’は、物体側から順に、像側に凸の正メニスカスレンズ２１’と、両凹負レンズ２２’とからなる。正メニスカスレンズ２１’と両凹負レンズ２２’は接合されている。
【００７４】
第３レンズ群Ｇ３’は、物体側から順に、両凹負レンズ３１’と、物体側に凸の正メニスカスレンズ３２と’、両凹負レンズ３３’とからなる。両凹負レンズ３１’と正メニスカスレンズ３２’は接合されている。
【００７５】
第４レンズ群Ｇ４’は、物体側から順に、像側に凸の正メニスカスレンズ４１’と、両凸正レンズ４２’と、像側に凸の負メニスカスレンズ４３’とからなる。両凸正レンズ４２’と負メニスカスレンズ４３’は接合されている。
【００７６】
第５レンズ群Ｇ５’は、物体側から順に、両凸正レンズ５１’と、物体側に凸の正メニスカスレンズ５２’と、両凹負レンズ５３’と、物体側に凸の正メニスカスレンズ５４’と、物体側に凸の負メニスカスレンズ５５’と、両凸正レンズ（中間正レンズ）５６’と、像側に凸の負メニスカスレンズ５７’と、両凸正レンズ５８’とからなる。両凹負レンズ５３’と正メニスカスレンズ５４’は接合されている。
【００７７】
（表１６）
面データ
面番号          R          d          N(d)        ν(d)
1           133.848      2.00       1.90366       31.3
2            79.909      9.41       1.45860       90.2
3          3114.867      0.20
4           109.975      4.43       1.43500       95.0
5           191.579      0.20
6            92.154      8.20       1.49700       81.6
7         -1154.616        d7
8          -829.746      4.37       1.90366       31.3
9           -68.784      1.50       1.69680       55.5
10           44.320       d10
11         -182.000      1.30       1.61800       63.4
12           41.115      5.50       1.80518       25.5
13          589.240      3.55
14          -46.524      1.30       1.83481       42.7
15         3900.032       d15
16         -196.945      3.80       1.77250       49.6
17          -72.511      0.20
18           88.995      8.01       1.49700       81.6
19          -41.287      1.30       1.74950       35.0
20         -107.447       d20
21絞           ∞        2.00
22           37.347      8.23       1.72916       54.7
23         -234.037      0.20
24           35.757      4.82       1.49700       81.6
25          150.186      1.57
26         -192.330      1.50       1.83481       42.7
27           21.453      8.35       1.49700       81.6
28           52.800      2.35
29          192.600      1.10       1.62374       47.0
30           34.702      2.54
31           93.311      6.00       1.59349       67.0
32          -88.797     18.51
33          -34.234      1.30       1.90366       31.3
34          -68.531      0.20
35          240.131      4.05       1.84666       23.8
36          -84.437        -
（表１７）
各種データ
ズーム比（変倍比）    2.69
短焦点距離端          中間焦点距離          長焦点距離端
FNO.            2.9                   2.9                   2.9
f             72.10                117.92                194.00
W              16.8                  10.2                   6.2
Y             21.64                 21.64                 21.64
fB            38.53                 38.53                 38.53
L            228.56                228.56                228.54
d7             2.20                 27.42                 44.69
d10           15.12                  8.39                  6.19
d15           18.62                 12.63                  1.50
d20           29.10                 16.60                 12.65
（表１８）
レンズ群データ
群          始面          焦点距離
1              1            119.13
2              8            -72.42
3             11            -54.49
4             16             75.65
5             22             93.80
【００７８】
各数値実施例の各条件式に対する値を表１９に示す。数値実施例６については、前提となるレンズ構成が異なっているため、条件式（９）〜条件式（１１）の対応数値を計算することができない。
（表１９）
実施例１      実施例２      実施例３
条件式（１）     1.450         1.416         1.318
条件式（２）     1.399         1.559         1.376
条件式（３）
νｄｐ１         81.55         81.61         81.55
νｄｐ２         94.94         95.00         94.94
νｄｐ３         67.73         68.62         67.73
条件式（４）     0.157         0.158         0.156
条件式（５）     81.34         81.81         81.34
条件式（６）     0.626         0.555         0.597
条件式（７）     1.156         1.294         1.270
条件式（８）     67.73         68.62         67.73
条件式（９）    -2.061        -2.154        -3.104
条件式（１０）   1.613         1.654         1.613
条件式（１１）   58.72         39.62         44.27
実施例４      実施例５      実施例６
条件式（１）     1.250         1.450         1.270
条件式（２）     1.440         1.277         1.240
条件式（３）
νｄｐ１         81.55         81.55         90.19
νｄｐ２         82.57         82.57         95.00
νｄｐ３         63.33         63.33         81.61
条件式（４）     0.121         0.121         0.232
条件式（５）     72.44         72.44         68.14
条件式（６）     0.733         0.703         0.505
条件式（７）     1.119         0.979         1.209
条件式（８）     67.73         63.33         67.00
条件式（９）    -3.081        -7.578         ＊＊＊
条件式（１０）   1.717         1.700         ＊＊＊
条件式（１１）   47.93         44.25         ＊＊＊
【００７９】
表１９から明らかなように、数値実施例１〜数値実施例５は、条件式（１）〜条件式（１１）を満足しており、数値実施例６は、条件式（１）〜条件式（８）を満足している。また、諸収差図及び横収差図から明らかなように、諸収差及び横収差は比較的よく補正されている。
【００８０】
以上の実施形態（数値実施例）では、正負正負正の５群レンズ構成のズームレンズ系、及び、正負負正正の５群レンズ構成のズームレンズ系をとりあげて、前者では第３レンズ群Ｇ３と第５レンズ群Ｇ５を「第ｍレンズ群」と「第ｎレンズ群」とし、後者では第４レンズ群Ｇ４’と第５レンズ群Ｇ５’を「第ｍレンズ群」と「第ｎレンズ群」とした場合を例示して説明した。
しかし、本発明のズームレンズ系は、以下の前提構成を持つあらゆるズームレンズ系に適用可能であり、その権利範囲を拡張して解釈することができる。
（１）最も物体側から順に、正の屈折力の第１レンズ群と、負の屈折力の第２レンズ群とを有し、且つ、最も像側に正の屈折力の第ｎレンズ群を有している。
（２）短焦点距離端から長焦点距離端への変倍に際し、第１レンズ群と第ｎレンズ群が像面に対して固定されており、第２レンズ群が光軸方向に移動する。
（３）第２レンズ群と第ｎレンズ群との間に、正の屈折力の第ｍレンズ群を有している。
【００８１】
以上説明したように、本明細書において、「第ｍレンズ群」は、フォーカシング時に移動するフォーカスレンズ群の単位であるレンズ群を意味している。このため、短焦点距離端から長焦点距離端への変倍に際して「第ｍレンズ群」がどのように挙動するか（例えば単独若しくは他のレンズ群と一緒に光軸方向に移動するか又は像面に対して固定されているか等）は、「第ｍレンズ群」の定義（他のレンズ群との切り分け）とは全く無関係である。
【００８２】
以上説明したように、本発明のズームレンズ系は、例えば、正負正負正の５群レンズ構成の態様、あるいは、正負負正正の５群レンズ構成の態様をとることができる。
【００８３】
本発明のズームレンズ系を、「第ｍレンズ群」及び「第ｎレンズ群」の表現を用いることなく、正負正負正の５群レンズ構成の態様を明確にした形で書き改めると、次のようになる。
すなわち、この態様のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成されていること；短焦点距離端から長焦点距離端への変倍に際し、第１レンズ群と第５レンズ群が像面に対して固定されており、第２レンズ群ないし第４レンズ群が光軸方向に移動すること；及び次の条件式（１−１）、（２−１）を満足すること；を特徴としている。
（１−１）１．２３＜ｆ１／ｆ５＜１．５０
（２−１）１．２０＜ｆ５／ｆ３＜１．６０
但し、
ｆ１：第１レンズ群の焦点距離、
ｆ３：第３レンズ群の焦点距離、
ｆ５：第５レンズ群の焦点距離、
である。
【００８４】
本発明のズームレンズ系を、「第ｍレンズ群」及び「第ｎレンズ群」の表現を用いることなく、正負負正正の５群レンズ構成の態様を明確にした形で書き改めると、次のようになる。
すなわち、この態様のズームレンズ系は、物体側から順に、正の屈折力の第１レンズ群と、負の屈折力の第２レンズ群と、負の屈折力の第３レンズ群と、正の屈折力の第４レンズ群と、正の屈折力の第５レンズ群とから構成されていること；短焦点距離端から長焦点距離端への変倍に際し、第１レンズ群と第５レンズ群が像面に対して固定されており、第２レンズ群ないし第４レンズ群が光軸方向に移動すること；及び次の条件式（１−２）、（２−２）を満足すること；を特徴としている。
（１−２）１．２３＜ｆ１／ｆ５＜１．５０
（２−２）１．２０＜ｆ５／ｆ４＜１．６０
但し、
ｆ１：第１レンズ群の焦点距離、
ｆ４：第４レンズ群の焦点距離、
ｆ５：第５レンズ群の焦点距離、
である。
【００８５】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００８６】
Ｇ１  正の屈折力の第１レンズ群
１１  負レンズ（像側に凹面を向けた負レンズ）
１２  正レンズ（物体側に凸面を向けた正レンズ）
１３  正レンズ（物体側に凸面を向けた正レンズ）
１４  正レンズ（物体側に凸面を向けた正レンズ）
Ｇ２  負の屈折力の第２レンズ群
２１  正レンズ
２２  負レンズ
２３  負レンズ
２４  正レンズ
２５  負レンズ
Ｇ３  正の屈折力の第３レンズ群（第ｍレンズ群、フォーカスレンズ群）
３１  正レンズ
３２  正レンズ
３３  負レンズ
Ｇ４  負の屈折力の第４レンズ群
４１  負単レンズ（像側に凸面を向けた負単レンズ）
Ｇ５  正の屈折力の第５レンズ群（第ｎレンズ群）
５１  正レンズ
５２  正レンズ
５３  負レンズ
５４  正レンズ（中間正レンズ）
５５  負レンズ
５６  正レンズ
Ｇ１’  正の屈折力の第１レンズ群
１１’  負レンズ（像側に凹面を向けた負レンズ）
１２’  正レンズ（物体側に凸面を向けた正レンズ）
１３’  正レンズ（物体側に凸面を向けた正レンズ）
１４’  正レンズ（物体側に凸面を向けた正レンズ）
Ｇ２’  負の屈折力の第２レンズ群
２１’  正レンズ
２２’  負レンズ
Ｇ３’  負の屈折力の第３レンズ群
３１’  負レンズ
３２’  正レンズ
３３’  負レンズ
Ｇ４’  正の屈折力の第４レンズ群（第ｍレンズ群、フォーカスレンズ群）
４１’  正レンズ
４２’  正レンズ
４３’  負レンズ
Ｇ５’  正の屈折力の第５レンズ群（第ｎレンズ群）
５１’  正レンズ
５２’  正レンズ
５３’  負レンズ
５４’  正レンズ
５５’  負レンズ
５６’  正レンズ（中間正レンズ）
５７’  負レンズ
５８’  正レンズ
Ｓ  開口絞り
Ｉ  像面
【図１】
0006439364.tif 000002
【図２】
0006439364.tif 000003
【図３】
0006439364.tif 000004
【図４】
0006439364.tif 000005
【図５】
0006439364.tif 000006
【図６】
0006439364.tif 000007
【図７】
0006439364.tif 000008
【図８】
0006439364.tif 000009
【図９】
0006439364.tif 000010
【図１０】
0006439364.tif 000011
【図１１】
0006439364.tif 000012
【図１２】
0006439364.tif 000013
【図１３】
0006439364.tif 000014
【図１４】
0006439364.tif 000015
【図１５】
0006439364.tif 000016
【図１６】
0006439364.tif 000017
【図１７】
0006439364.tif 000018
【図１８】
0006439364.tif 000019
【図１９】
0006439364.tif 000020
【図２０】
0006439364.tif 000021
【図２１】
0006439364.tif 000022
【図２２】
0006439364.tif 000023
【図２３】
0006439364.tif 000024
【図２４】
0006439364.tif 000025
【図２５】
0006439364.tif 000026
【図２６】
0006439364.tif 000027
【図２７】
0006439364.tif 000028
【図２８】
0006439364.tif 000029
【図２９】
0006439364.tif 000030
【図３０】
0006439364.tif 000031
【図３１】
0006439364.tif 000032
【図３２】
0006439364.tif 000033
【図３３】
0006439364.tif 000034
【図３４】
0006439364.tif 000035
【図３５】
0006439364.tif 000036
【図３６】
0006439364.tif 000037
【図３７】
0006439364.tif 000038
【図３８】
0006439364.tif 000039
【図３９】
0006439364.tif 000040